【事件の表示】
　特許第２６７４６１９号「複数個の操作部材を有するビデオレコーダ」に係る特許に対する特許異議の申立てについて、次のとおり決定する。
【結　論】
　特許第２６７４６１９号に係る特許を維持する。
【理　由】
１．手続の経緯
　本件特許第２６７４６１９号の特許請求範囲第１項に係る発明（昭和５７年２月１０日出願、優先権主張日１９８１年２月１１日・ドイツ連邦共和国）は、平成９年７月１８日にその特許の設定登録がなされ、これに対して、三洋電機株式会社及びシャープ株式会社より特許異議の申立てがなされ、平成１２年１１月１０日付けでその特許の取り消し決定がなされ、その後東京高等裁判所に出訴、その出訴期間中に願書に添付した明細書を訂正することについての訂正の審判（２００１年審判第３９１５５号）が請求され、その訂正を認める審決がなされ、それに伴い、前記決定が取り消されたものである。
２．申立ての理由の概要
　異議申立人三洋電機株式会社は、
甲第１号証・・ドイツ特許出願公開第２９１８８４６号明細書（１９８０年公開）
甲第２号証・・IEEE Transactions on Consumer Electronics,　Vol.CE-24,No.3,August 1978、
　IEEE Consumer Electronics Group of the BCCE Society 発行、第４３６〜４４２頁 「MICROPROCESSOR BASED,SOFTWARE DEFINED TELEVISION CONTROLLER」
甲第３号証・・実願昭５３−５４２６６号（実開昭５４−１５６５１０号）のマイクロフィルム
甲第４号証・・実願昭５４−４１３１３号（実開昭５５−１４２０５３号）のマイクロフィルム
甲第５号証・・「テレビ技術」VOL.28 　9月号、電子技術出版株式会社発行、昭和５５年９月１日、第２３〜４０頁「ビデオへのマイコンの応用とわが社の最新ＶＴＲの特徴」
参考資料１・・甲第１号証の翻訳文
参考資料２・・甲第２号証の要約（翻訳）
　を提出して、本件特許請求の範囲第１項、第３項、第４項（第３、４項は実施態様）に係る発明について、甲第１〜５号証に記載された発明に基づいて当業者が容易に発明することができたものであるから特許法第２９条第２項の規定に違反して特許されたものであるので、その特許は取り消されるべきものであると主張している。　
　異議申立人シャープ株式会社は、
甲第１号証・・ドイツ特許出願公開第２９１８８４６号明細書（１９８０年公開）
甲第２号証・・実願昭５５−５０２６５号（実開昭５５−１４１３５３号）のマイクロフィルム
甲第３号証・・特開昭５５−１５３４３２号公報
甲第４号証・・特願昭５４−１７２５６３号（特開昭５６−９６３０４号公報）
参考資料・・甲第１号証の翻訳文
　を提出して、本件特許請求の範囲第１項に係る発明は甲第１〜３号証に記載された発明に基づいて当業者が容易に発明することができたものであるから特許法第２９条第２項の規定に違反して特許されたものであるので、また、甲第４号証に記載されている発明と同一であるので特許法第２９条の２の規定に違反して特許されたものであるので、その特許は取り消されるべきものであると主張している。
３．本件発明
　本件発明の要旨は、その特許請求の範囲の第１項に記載された次の事項によって特定されるとおりのものと認められる。
「操作部材（１６）と、遠隔操作受信およびデコード回路（１４）と、マイクロプロセッサ（１１）と、データ／ＦＢＡＳ変換器（９）と、音響／映像制御ユニット（５）と、ビデオ出力側を有するビデオレコーダ（２５）であって、前記操作部材（１６）は、操作信号を入力するためのものであり、前記遠隔操作受信およびデコード回路（１４）は、外部遠隔操作発信器（２６）から送信された遠隔操作信号を受信し、デコードするためのものであり、前記マイクロプロセッサ（１１）には操作部材（１６）の信号、または遠隔操作受信およびデコード回路（１４）により受信された信号が供給され、前記マイクロプロセッサにはメモリ（１０）が配属されており、該メモリにはマイクロプロセッサに供給された信号が記憶され、さらに該メモリには、前記ビデオレコータを操作するための操作命令を表す音響信号および可視信号が記憶され、前記データ／ＦＢＡＳ変換器（９）はマイクロプロセッサ（１１）により画像テキスト信号を発生するように制御され、前記音響／映像制御ユニット（５）にはデータ／ＦＢＡＳ変換器（９）により形成された画像テキスト信号が供給され、前記ビデオレコーダのビデオ出力側は前記音響／映像制御ユニット（５）の出力側に接続されており、かつ線路を介してテレビジョン受信機（２１）のビデオ端子と接続されており、前記音響／映像制御ユニット（５）は、データ／ＦＢＡＳ変換器（９）により形成された画像テキスト信号を前記テレビジョン受信機（２１）の画面に可視再生されるように制御し、前記画像テキスト信号は、ビデオレコーダに記憶されている操作マニュアルに従って操作部材（１６）または遠隔操作発信器（２６）から入力すべき操作命令と、操作部材（１６）または遠隔操作発信器（２６）から入力された操作命令についてのフィードバック応答とからなり、前記マイクロプロセッサは、前記音響／映像制御ユニット(５）に入力され、前記テレビジョン受信機により音響再生される音声信号の発生を制御し、該音声信号は、ビデオレコーダに記憶されている操作マニュアルに従って操作部材（１６）または遠隔操作発信器（２６）から入力すべき操作命令を含んでおり、操作者と前記ビデオレコーダとの間で、前記ビデオレコーダの操作、プログラミングおよび監視が対話的に行われる、ことを特徴とするビデオレコーダ。」
（以下、「本件発明」という。）
４．２９条の２項について
（１）各甲号証記載の発明
　異議申立人三洋電機株式会社の提出した甲第１号証（ドイツ特許出願公開第２９１８８４６号明細書（１９８０年公開）・・異議申立人シャープ株式会社の甲第１号証、以下「刊行物１」という）には、
Ａ．「この発明はビデオ記録再生装置、特にビデオレコーダの事前にプログラム可能な記録データを画像スクリーンにリストアップするための、・・・装置に関するものである。リアルタイムや、必要ならば、テレビジョン装置の予定のスイッチオン時間を上書きして表示するための、テレビジョン装置の画像スクリーンを設けることは周知である。その際テレビジョン装置の回路に、ランダムアクセスメモリ（ＲＡＭ）を備えたキャラクタジェネレータが使用される。テレビジョン装置の画像スクリーンにデータを表示できるようにするため、画像スクリーンデータ用の信号セパレータ、いわゆる、ＣＲＴコントローラをテレビジョン装置に接続して使用することも周知である。いわゆる、ＣＲＴコントローラは実質上、キャラクタジェネレータと、ＤＯＴオシレータと、分割回路と、テレビジョン標準方式に従ったビデオ信号のために必要なパルスを発生するデコーダとからなる。」（第５頁２〜２０行）、
Ｂ．「テープの記録媒体を備えたビデオレコーダに関する、第１図に示される、この発明による装置のブロックダイアグラムによると、入力キーボード１はプログラムクロックコンピュータ３（プログラム可能なクロック又はタイマー）と接続され、このコンピュータは、インジケータ２への出力及びランダムアクセス（バッファＲＡＭ）を備えたバッファメモリ４への出力を有する。その際、メモリ４は関連する符号箇所に表示される可変データを記憶する。信号発生器５はビデオ信号“プログラムリスト”（信号発生器５の出力信号）を送る切換装置６（ビデオセパレータ）と連結し、その際、ビデオセパレータ６の他方の端子にビデオ信号“レコーダ／送信機”が送られる。ビデオセパレータ６の出力はモジュレータ７の入力と接続し、モジュレータの出力でテレビジョンへのＨＦ信号が出力される。」（第６頁１３行〜第７頁５行）、
Ｃ．「この出願によると、レコーダにＣＲＴコントローラ５が設けてあり、全ての受け取りデータをテレビジョン受像器の画像スクリーン上にリストアップできる。」（第８頁１９〜２２行）、
Ｄ．「テレビジョンの画像スクリーン上にデータを明確にする場合、ビデオセパレータ６を介して、ビデオレコーダ及び送信装置の信号の代わりに、ＣＲＴコントローラ５のビデオ情報が、高周波モジュレータ７及びビデオケーブルと介してテレビジョン装置に送られ、そこで表示される。
　レコーダの所望のスイッチング機能の表示はプログラム番号の値（チャンネル）、スイッチ時間及び日付（第２図参照）で構成される。必要な場合、この発明による装置では、プログラミングの時点（ビデオレコーダの所望の後日のスイッチ機能の入力日）と、“今日”、“明日”、“明後日”等の意味でのスイッチ機能の所望の後日のデータとの関係を設けることもでき、このことは、テレビジョン装置の画像スクリーン上へのリストアップによるこの種の記載を、多くのプログラミングの経過時に、著しく明確にする。（第３図参照）
　プログラミング及び表示の明確さは、時間経過に対応した全プログラミングの自動ソートとソーティングされた表示により、更に一層高めることができる。
　テレビジョン受像器の画像スクリーン上における、可動ラベル（マーク及びマーキング）の助けによる入力データのマーキングにより、入力キーボード１の操作によってどの情報が変更されるのかを使用者に正確に明らかにする。このことは第３図において、実線で表すラベル１２は設定の終了を表し、他方、破線で示すラベル１３は既にリストアップされたデータの中で訂正を簡単で明確な方法で実行できる位置の正確なマーキングを示している。」（第９頁１０行〜第１０頁１５行）、
Ｅ．「既に上述したように、ＣＲＴコントローラ５がビデオレコーダ内にあるので、使用する記録媒体、例えば挿入されたビデオレコーダの磁気テープカセットのプレイ時間について、追加データをレコーダに更に入れることができ、これは、例えば磁気テープカセットを機械的に走査するコンタクトで自動的に行うことができる。もし、記録作用に必要なスイッチ機能（チヤンネル、スイッチオン時間及びスイッチオフ時間、日付）が完全に入れられると、クロックコンピュータ３が記録媒体の結果としてなお存在する予備（この例ではテープ予備）を計算し、この予備を同じくコンピュータを介して表示する。もし、レコーダの使用者が、うっかりして、記録媒体のプレイ時間を超過したことが見出されたら、例えば、文字“予備“を点滅して表示でき、この超過時間がマイナス記号で知らされる。」（第１０頁１６行〜第１１頁６行）、
　上記の事項が第１〜３図とともに記載されている。
　以上の記載によれば、上記刊行物１には「入力キーボード１とプログラムクロックコンピュータ３と、信号発生器（ＣＲＴコントローラ）５と、ビデオ出力側を有するビデオレコーダであって、前記入力キーボード１は、操作信号を入力するためのものであり、前記プログラムクロックコンピュータ３には入力キーボード１の信号により受信された信号が供給されるとともに、バッファメモリ４が配属されており、該メモリ４には表示のための可変データが記憶されるとともにスクリーンデータ用の信号発生器５（ＣＲＴコントローラ）が連結し、前記信号発生器（ＣＲＴコントローラ）５はビデオ信号（プログラムリスト）を発生し、切換装置６（ビデオセパレータ）を介して前記テレビジョン受信機の画面に可視再生されるようにし、前記ビデオレコーダのビデオ出力側は切換装置６（ビデオセパレータ）の出力側に高周波モジュレータ７を介して接続されており、前記ビデオ信号（プログラムリスト）はテレビジョン受像器の画像スクリーン上における、可動ラベルによる入力データのマーキングにより、入力キーボード１の操作によってどの情報が変更されるのかを使用者に明らかにするものであるとともに、プログラミングによりテープの予備がなくなったときは点滅表示するビデオ記録再生装置。」が記載されている。
　同甲第２号証（IEEE Transactions on Consumer Electronics, Vol.CE-24,No.3,August 1978、IEEE Consumer Electronics Group of the BCCE Society 発行、第４３６〜４４２頁  「MICROPROCESSOR BASED,SOFTWARE DEFINED TELEVISION CONTROLLER」、以下「刊行物２」という）には、マイクロプロセッサによるソフトウエア制御のテレビジョンコントローラであり、
Ｆ．「ＴＶ受信機に対するユーザインターフェースはリモコン送信機およびリモコン受信機を通じて行われる。送信された信号は受信機においてデコードされ、正確な応答がマイクロプロセッサーに提供される。この後の処理はマイクロプロセッサによってなされる。番組選択、サーチチューニング、および６つまでの可変受信機能はＤ−Ａ変換器によってなされる。」（４３６頁左欄Ｆｉｇ１の次から６〜１３行）及びＦｉｇ２、
Ｇ．「Ｄ−Ａ変換器にはＣＭＯＳの２５６バイトのリードライトメモリが接続される。このメモリにはプログラム情報、スイッチオンオフ情報、その他が格納されている。メモリのデータはパワーオフ時でもバックアップされて保持される。安価で多目的なディスプレイは映像管そのものである。ディスプレイコントローラの目的はそれぞれ２０文字まで表示できる２行の情報を付与することである。このディスプレイはユーザがプリプログラムなどの非常に複雑な受信機能を行うのに最も快適な方法になる。」（同１８〜末行）、
Ｈ．「テレビジョン受信機が少し複雑になると、平均的なユーザにとってその取り扱いをかなり複雑なものにする虜れがある。このような理由で、陰極線管はユーザと対話を作り出すための手段として選ばれる。画面には２ラインの文字以上を表示できるが、各ライン２０までの英数字が表示されるようになっており、１つのラインはコンピュータからの質問のために使用され、２番目のラインはユーザからの入力のために使用される：
　起こり得る多くの場合から次の２つの場合を考察する：
１．リモコンのキーボードは、例えば時刻設定、オン時間、プログラム設定、スイッチのオフ時間設定などの付加的なプログラム機能のためのキーを含んでいる。」と記載されるとともに、続いて表が２つあり、最初の表には、「曜日の設定をして下さい。  正しいですか？  日付の設定をして下さい。  正しいですか？  月の設定をして下さい。  正しいですか？  今日の日付は、・・です。」と対話的に操作指示する点が記載されている。また、２番目の表にも同様に対話的に時間とチャンネルを設定する点が記載されている。（４３７頁右欄）、
　以上の記載によれば、上記刊行物２には、リモコンによる信号を受信してデコード回路によりデコードする点、及び、リモコンにより、入力すべき操作命令とそれに対するフィードバック応答とからなり対話的に操作指示をテレビジョン受像器の画面に可視再生する点が記載されている。
　同甲第３号証（実願昭５３−５４２６６号（実開昭５４−１５６５１０号）のマイクロフィルム、以下「刊行物３」という）には、
　テープレコーダなどのオーディオ機器の作動時間を計数し、記憶カウンタ及び不揮発性メモリに記憶させる点が記載されている。
　同甲第４号証（実願昭５４−４１３１３号（実開昭５５−１４２０５３号）のマイクロフィルム、以下「刊行物４」という）には、
　テープレコーダの早送りＦＦ、巻き戻しＲＥＷ等の操作時の音声での報知手段が記載されている。
　同甲第５号証（「テレビ技術」VOL.28　９月号、電子技術出版株式会社発行、昭和５５年９月１日、第２３〜４０頁「ビデオへのマイコンの応用とわが社の最新ＶＴＲの特徴」、以下「刊行物５」という）には、
　リモコンを機器の操作に利用する点（特に３９〜４０頁）が記載されている。
　異議申立人シャープ株式会社の提出した甲第１号証は上記異議申立人三洋電機株式会社の提出した甲第１号証と同じである。
　同甲第２号証（実願昭５５−５０２６５号（実開昭５５−１４１３５３号）のマイクロフィルム、以下「刊行物６」という）には、
　ビデオ機器をリモートコントロールする場合、そのコントロール側でビデオ機器の動作状態を容易且つ確実に確認することが出来るようにビデオ機器が発信する動作表示信号を受信して、その動作状態に対応した映像パターン又は音声パターンを発生し、受像器に提示する点が記載されている。
　同甲第３号証（特開昭５５−１５３４３２号公報、以下「刊行物７」という）には、
　入力すべき操作命令と該操作命令のデータが表示用メモリに書き込まれキャラクタジェネレータに送られ陰極線管に表示されるべき文字信号を発生させる点、及び、入力すべき操作命令に対するフィードバック応答を対話的に曜日表示部８、時刻表示部９に表示する点が記載されている。
（２）対比
　本件発明と上記刊行物１に記載の発明とを対比すると、
ａ．上記刊行物１記載の「信号発生器５（ＣＲＴコントローラ）」は、その記載Ａおよび記載Ｃからみて、レコーダー内にあってテレビジョン標準方式に従ったビデオ信号のために必要なパルスを発生するための信号処理を行うものであるので、本件発明の「データ／ＦＢＡＳ変換器（９）」に相当するものと認められる。
ｂ．上記刊行物１記載の「切換装置６（ビデオセパレータ）」はビデオ信号の切換を行っているものであり、本件発明の「ビデオ制御ユニット（５）」も、特許請求の範囲の記載を参照すれば、データ／ＦＢＡＳ変換器（９）により形成された画像テキスト信号が供給されるものであり、その出力側はビデオ出力側に接続されており、データ／ＦＢＡＳ変換器（９）により形成された画像テキスト信号をテレビジョン受信機（２１）の画面に可視再生されるように制御するものであり、上記信号の流れを切換制御していることは明らかであるので、両者は信号切換器である点で一致している
ｃ．上記刊行物１記載の発明の「可動ラベルによる入力データのマーキングにより、入力キーボード１の操作によってどの情報が変更されるのかを使用者に正確に明らかにする」とする点は、操作指示と、それに対する応答とからなっており、どのように操作指示を行うかはビデオ記録再生装置に記憶されているものと認められる。また、刊行物１記載の発明の「プログラミングによりテープの予備がなくなったときは点滅表示する」点は、操作者がテープの予備が無くなったことを点滅表示により監視できるものであるので、ビデオレコーダの操作、プログラミングの他に監視をすることができるものと認められる。
ｄ．本件発明の「画像テキスト信号」は、明細書の「発明の詳細な説明」によれば「ビデオレコーダから再生装置に供給される信号に・・・操作標識、・・・を・・・含ませることができる。」と記載されているので、刊行物１記載の発明における可動ラベル等の操作信号を含む「ビデオ信号」は、上記本件発明の「画像テキスト信号」に相当する。
　そして、刊行物１記載の「入力キーボード１」、「プログラムクロックコンピュータ３」、「バッファメモリ４」、「ビデオ記録再生装置」は、
　本件発明の「操作部材（１６）」、「マイクロプロセッサ（１１）」、「メモリ（１０）」、「ビデオレコーダ」に各々相当するものと認められるので、
　本件発明と刊行物１に記載の発明とは、「操作部材とマイクロプロセッサと、データ／ＦＢＡＳ変換器と、信号切換器と、ビデオ出力側を有するビデオレコーダであって、前記操作部材は、操作信号を入力するためのものであり、前記マイクロプロセッサには操作部材の信号により受信された信号が供給され、前記マイクロプロセッサにはメモリが配属されており、該メモリにはマイクロプロッセッサに供給された信号が記憶され、前記データ／ＦＢＡＳ変換器はマイクロプロセッサにより画像テキスト信号を発生するように制御され、前記信号切換器にはデータ／ＦＢＡＳ変換器により形成された画像テキスト信号が供給され、前記ビデオ出力側は信号切換器の出力側に接続されており、前記信号切換器はデータ／ＦＢＡＳ変換器により形成された画像テキスト信号を前記テレビジョン受信機の画面に可視再生されるように制御し、前記画像テキスト信号は、ビデオレコーダに記憶されている操作部材から入力すべき操作命令と操作部材から入力された操作命令についての応答からなり、操作者と前記ビデオレコーダとの間で、前記ビデオレコーダの操作、プログラミングおよび監視が行われることを特徴とするビデオレコーダ。」
  である点で一致するものの、
１）本件発明は、操作指示のために操作部材の他に、外部遠隔操作発信器から送信された遠隔操作信号を受信し、デコードするための遠隔操作受信及びデコード回路を有するのに対し、上記刊行物１に記載の発明はこのような構成を有していない点、
２）本件発明は、マイクロプロセッサにはメモリが配属されており、・・・該メモリには、前記ビデオレコーダを操作するための操作命令を表す音響信号および可視信号が記憶され、前記データ／ＦＢＡＳ変換器（９）はマイクロプロセッサ（１１）により画像テキスト信号を発生するように制御され、・・・前記画像テキスト信号は、ビデオレコーダに記憶されている操作マニュアルに従って操作部材（１６）または遠隔操作発信器（２６）から入力すべき操作命令と、操作部材（１６）または遠隔操作発信器（２６）から入力された操作命令についてのフィードバック応答とからなり、前記マイクロプロセッサは、前記音響／映像制御ユニット(５）に入力され、前記テレビジョン受信機により音響再生される音声信号の発生を制御し、該音声信号は、ビデオレコーダに記憶されている操作マニュアルに従って操作部材（１６）または遠隔操作発信器（２６）から入力すべき操作命令を含んでおり、操作者と前記ビデオレコーダとの間で、前記ビデオレコーダの操作、プログラミングおよび監視が対話的に行われるのに対し、上記刊行物１に記載の発明は、このようにフィードバック応答で対話的に行われること、及び上記入力すべき操作命令が操作マニュアルに従ったものであること、について明確ではなく、そして、メモリに操作マニュアルの可視指示とは別個に、前記操作マニュアルの音声指示も記憶されており、音声信号は、ビデオレコーダに記憶されている操作マニュアルに従って操作部材（１６）または遠隔操作発信器（２６）から入力すべき操作命令を含んでいる点を具備していない点、
３）本件発明は、ビデオレコーダのビデオ出力側はビデオ制御ユニットの出力側に接続されており、かつ線路を介してテレビジョン受信機のビデオ端子と接続されているのに対し、上記刊行物１に記載の発明は、高周波モジュレータが介在して接続されている点、
４）信号切換器が、本件発明はビデオ制御ユニットであるのに対し、上記刊行物１に記載の発明は、切換装置６（ビデオセパレータ）である点、
　で相違しているものと認められる。
（３）判断
　上記相違点２）について検討する。
  上記刊行物２には、テレビジョンの入力すべき操作命令を文章によって指示し、該操作命令に対するフィードバック応答をテレビジョン受像器の画面に可視再生する点、また、上記刊行物４には、ビデオ機器をリモートコントロールする場合、そのコントロール側でビデオ機器の動作状態を容易且つ確実に確認することが出来るようにビデオ機器が発信する動作表示信号を受信し、その動作状態に対応した映像パターン又は音声パターンを発生させる点が記載されているが、上記刊行物２、４には本件発明の構成要件である、マイクロプロセッサに配属されたメモリには、前記ビデオレコータを操作するための操作命令を表す音響信号および可視信号が記憶されており、テレビジョン受信機により音響再生される音声信号は、ビデオレコーダに記憶されている操作マニュアルに従って操作部材（１６）または遠隔操作発信器（２６）から入力すべき操作命令を含んでおり、操作者と前記ビデオレコーダとの間で、前記ビデオレコーダの操作、プログラミングおよび監視が対話的に行われる点は記載されておらず、上記点を示唆する記載もない。
　また、刊行物３、５〜７を参照しても上記点に関する記載及び示唆はない。
　そして、上記相違点２）を具備する本件発明は明細書記載の「ビデオレコーダの番組設定の場合に非常に有利である。これは放送局サーチによる放送局の番組設定、微同調、チャネル選択、および同調情報の記憶から成る。また番組設定には、駆動ユニットおよび時刻設定、例えば記録と再生並びに早送り、巻き戻し、頭出し等の所望の駆動機構モードによる時間設定、オン・オフ設定、番組設定が含まれる。また番組設定がテープの任意の個所に修正することができる。」の効果を奏するものである。
（４）むすび
　したがって、本件発明は、上記刊行物１〜７記載の発明に基づいて当業者が容易に想到し得たものとすることはできない。
５．２９条の２について
（１）先願発明（甲第４号証・・特願昭５４−１７２５６３号（特開昭５６−９６３０４号公報）　
　上記先願明細書に係る発明は、ＶＴＲタイマーに関わるもので、
「すでに録画予約済みの内容と、これから録画予約しようとする内容とを同時にＣＲＴディスプレイ上に表示することにより、両者の関係が一目で判るようにするものである。」（第２ページ１〜５行）、
「（１）はアンテナ入力信号（ｊ）とと、ＲＦ出力信号（ｉ）とを切換えてテレビジョンセット（１３）入力するためのＲＦ切換スイッチ、（２）はビデオ信号（ｇ）とＶＴＲ再生信号（ｈ）を高周波（ＲＦ）に変換するためのＲＦコンバータ、（３）はＣＲＴ表示パターン信号（ｆ）を同期信号（ｅ）に同期させてビデオ信号（ｇ）に変調するための変調器、（４）はＶＴＲチューナ及びテレビジョンセット（１３）にアンテナ受信信号（ｊ）を供給するためのアンテナ、（５）はＣＰＵ（８）の指令によりＶＴＲの機構（図示せず）を制御するデッキ機構制御部である。このデッキ機構制御部（５）は、テープに走行／停止、早送り、巻戻し、ポーズを行わせるための機構部をソレノイドによって動作させる機械部分と前記ソレノイドを引くためのコイルに通電させるトランジスタ、ソレノイドのコイルと並列に入るスパイクノイズ除去用のダイオードから成る。
　（６）は電気的にチャンネル選択が行なえ、録画開始時刻になるとＣＰＵ（８）によってチャンネルが自動設定される電子チューナ、（７）は録画予約の内容をＣＰＵ（８）に入力するためのキーボード、（８）はキーボード（７）により入力されるＶＴＲ制御信号（ａ）により録画予約内容を記憶すると共に、電子チューナ（６）、デッキ機構制御部（５）、フレームメモリ（９）を出力制御するためのＣＰＵ（今回はＲＯＭ，ＲＡＭ内蔵のＭＮ１５００使用）、（９）はＶＴＲタイマーの各種モードに応じて、テレビジョンセット（１３）のＣＲＴディスプレイい表示する一画素分のＣＲＴ表示キャラクタ（ｄ）を記憶するためのフレームメモリ、（１０）はフレームメモリ（９）から入力されるＣＲＴ表示キャラクタにより、第１１図に示すような文字画素およびグラフ表示制御のＣＲＴ表示パターン信号（ｆ）を出力するためのキャラクタジェネレータ、（１１）はビデオ信号（ｇ）をえるためのに必要な同期信号（ｅ）を生成するためのＣＲＴ同期タイミング回路である。（１２）はＶＴＲセット本体に相当し、このブロック図に記入されてないものでは機構部分、録画／再生回路部分等がある。（１３）はモニター用のテレビジョンセットである。」（第２ページ右上欄下から４行〜同右下欄下から７行）、
「第４図に時刻合わせモードの動作流れ図を示し、第８図に時刻合わせモード寺のテレビジョンセット（１３）のＣＲＴディスプレイに表示される画面を示す。曜日スイッチ（２３）を操作すると、選択されている曜日（ゲツヨウ〜ニチヨウ）の白黒が反転する。選択された曜日例えば火曜日に対応する区域内にだけ、時刻が数字で表示され、それとともに、バーグラフが直下に表示される。」（第４ページ左上欄２〜９行）、
「画面上には全てのプログラム番号及び予約内容が表示されるので、現在、どのプログラム番号を予約しようとするのかを表示するため、選択されたプログラム符号の部分だけ白黒を反転する。」（第６ページ左下欄４〜７行）
「他のプログラム番号で、すでに録画予約済の時間帯と重複して設定しようとした場合には、現在予約しようとする時間帯の表示及びすでに予約されているプログラム番号の時間帯表示の両方を白黒反転させて表示することにより警告を与える。」（第６ページ右下欄４〜９行）、
「入力手段として、キーボードのかわりに音声認識モジュールを使用すれば、さらに使いやすいＶＴＲタイマーが実現できる。」（第７ページ左欄１５〜１８行）、
　及び図面（特にその第１図）を参照すれば、先願明細書には、
「キーボード（７）又は音声認識モジュールと、ＣＰＵ（８）と、該ＣＰＵ（８）によりＣＲＴ表示パターン信号を発生するように制御されるキャラクタジェネレータ（１０）、キャラクタジェネレータ（１０）により形成された表示パターン信号をビデオ信号に変調するための変調器（３）を含むビデオ制御ユニットと、変調器（３）の出力側に接続されており、かつ線路を介してテレビジョンセット（１３）のビデオ端子と接続されるビデオ出力側を有するＶＴＲであって、
　前記キーボード（７）又は音声認識モジュールは、操作信号を入力するためのものであり、前記ＣＰＵ（８）にはキーボード（７）の信号、または、音声認識モジュールからの信号が供給され、前記ＣＰＵ（８）にはメモリＲＡＭが内蔵されており、該メモリＲＡＭにはＣＰＵ（８）に供給された信号が記憶され、前記キャラクタジェネレー夕（１０）はＣＰＵ（８）によりＣＲＴ表示パターン信号を発生するように制御され、前記変調器（３）にはキャラクタジェネレータ（１０）により形成されたＣＲＴ表示パターン信号が供給され、前記ビデオ出力側は変調器（３）の出力側に接続されており、かつ線路を介してテレビジョンセット（１３）のビデオ端子と接続されており、前記変調器（３）は、キャラクタジェネレータ（１０）により形成されたＣＲＴ表示パターン信号を前記テレビジョンセット（１３）の画面に可視再生されるように制御し、前記ＣＲＴ表示パターン信号は、ＶＴＲに記憶されているプログラムリストに従ってキーボード（７）または音声認識モジュールから入力すべき操作命令（白黒反転，バーグラフ）と、キーボード（７）または音声認識モジュールから入力された操作命令についてのフィードバック応答（白黒反転警告）とからなり、
　操作者と前記ＶＴＲとの間で、前記ＶＴＲの操作、プログラミング及び監視が対話的に行われる、ＶＴＲ装置。」
　が記載されていると認められる。
（２）対比・判断
　本件発明と上記先願発明とを対比すると、先願発明には本件発明の構成要件である、
　遠隔操作受信およびデコード回路（１４）は、外部遠隔操作発信器（２６）から送信された遠隔操作信号を受信し、デコードするためのものである点、及び、マイクロプロセッサに配属されたメモリには、前記ビデオレコータを操作するための操作命令を表す音響信号および可視信号が記憶されており、テレビジョン受信機により音響再生される音声信号は、ビデオレコーダに記憶されている操作マニュアルに従って操作部材（１６）または遠隔操作発信器（２６）から入力すべき操作命令を含んでおり、操作者と前記ビデオレコーダとの間で、前記ビデオレコーダの操作、プログラミングおよび監視が対話的に行われる点、が記載されておらず、上記点を示唆する記載もない。また、上記点が周知慣用技術とも認められない。
（３）むすび
　したがって、上記先願発明が本件発明と同一であるとすることはできない。
６．むすび
　以上のとおりであるから、特許異議申立の理由及び証拠によっては、本件発明に係る特許を取り消すことができない。
　また、他に本件発明に係る特許を取り消すべき理由を発見しない。
　よって、結論のとおり決定する。　　 
【異議決定日】
平成１２年１１月１０日（２０００．１１．１０）